(57)【要約】【課題】  循環回路の圧力損失増大に伴なう貯湯運転中止を回避することが可能な貯湯式給湯装置を提供すること。【解決手段】  制御装置１００は、循環ポンプ５０の実回転数と、給湯用熱交換器２２に流入する給水温度と目標沸き上げ温度とに応じて定まる循環ポンプ５０の理想回転数との乖離度合に応じて、循環回路２０の圧力損失増大の兆候を検出したときには、表示部２１０を作動制御して、配管洗浄が必要である旨を表示する。したがって、沸き上げ温度異常により貯湯運転が中止される不具合を発生する前に、ユーザ等にメンテナンスを促すことができる。【選択図】        図１
2005055124.tif 000002
【特許請求の範囲】
【請求項１】
内部に湯を貯えるための貯湯タンク（１）と、
前記貯湯タンク（１）内の下部の水を、前記貯湯タンク（１）内の上部に送るための循環回路（２０）と、
前記循環回路（２０）に設けられ、前記循環回路（２０）を流通する前記水を加熱して前記湯とする加熱手段（２）とを備える貯湯式給湯装置において、
前記循環回路（２０）の圧力損失増大の兆候を報知するための報知手段（２１０）と、
前記兆候を検出したときには、前記報知手段（２１０）を作動制御する制御手段（１００）とを備えることを特徴とする貯湯式給湯装置。
【請求項２】
前記循環回路（２０）に設けられ、前記循環回路（２０）に循環する前記水の流量を調節する流量調節手段（５０）と、
前記加熱手段（２）により加熱された前記湯の温度を検出する湯温検出手段（５１）とを備え、
前記制御手段（１００）は、
前記湯温検出手段（５１）が検出する湯温が前記加熱手段（２）による加熱目標値と一致するように、前記流量調節手段（５０）を調節制御するとともに、
前記調節制御に基づく前記流量調節手段（５０）の実調節状態と、前記加熱手段（２）に加熱される前の前記水の温度もしくはその関連値に応じて定まる前記流量調節手段（５０）の理想調節状態との乖離度合に応じて、前記圧力損失増大の兆候を検出することを特徴とする請求項１に記載の貯湯式給湯装置。
【請求項３】
前記制御手段（１００）は、前記循環回路（２０）の設置状態および前記加熱手段（２）の加熱能力の少なくともいずれかに応じて、前記流量調節手段（５０）の前記理想調節状態を補正することを特徴とする請求項２に記載の貯湯式給湯装置。
【請求項４】
前記循環回路（２０）に設けられ、前記循環回路（２０）に循環する前記水の流量を調節する流量調節手段（５０）と、
前記加熱手段（２）により加熱された前記湯の温度を検出する湯温検出手段（５１）とを備え、
前記制御手段（１００）は、
前記湯温検出手段（５１）が検出する湯温が前記加熱手段（２）による加熱目標値と一致するように、前記流量調節手段（５０）を調節制御するとともに、
前記調節制御に基づく前記流量調節手段（５０）の調節状態が所定状態となったときに、前記調節状態に基づいて前記圧力損失増大の兆候を検出することを特徴とする請求項１に記載の貯湯式給湯装置。
【請求項５】
前記流量調節手段（５０）は、前記循環回路（２０）に前記水を循環する循環ポンプ（５０）であり、
前記制御手段（１００）は、前記循環ポンプ（５０）の回転数を調節制御することを特徴とする請求項２ないし請求項４のいずれか１つに記載の貯湯式給湯装置。
【請求項６】
前記流量調節手段（６０）は、前記循環回路（２０）に設けられた流量調節弁（６０）であり、
前記制御手段（１００）は、前記流量調節弁（６０）の弁開度を調節制御することを特徴とする請求項２ないし請求項４のいずれか１つに記載の貯湯式給湯装置。
【請求項７】
前記制御手段（１００）は、運転開始後の経過時間が所定時間に到達したときに、前記経過時間に基づいて前記圧力損失増大の兆候を検出することを特徴とする請求項１に記載の貯湯式給湯装置。
【請求項８】
前記報知手段（２１０）は、前記兆候を表示する表示手段（２１０）であることを特徴とする請求項１ないし請求項７のいずれか１つに記載の貯湯式給湯装置。
【請求項９】
前記制御手段（１００）は、前記兆候を検出したときには、前記循環回路（２０）内の洗浄が必要である旨の表示を行なうように前記表示手段（２１０）を表示制御することを特徴とする請求項８に記載の貯湯式給湯装置。
【請求項１０】
前記加熱手段（２）は、二酸化炭素を冷媒とするヒートポンプ装置（２）であることを特徴とする請求項１ないし請求項９のいずれか１つに記載の貯湯式給湯装置。
【発明の詳細な説明】
【技術分野】
【０００１】
本発明は、湯を貯湯タンク内に貯える貯湯式給湯装置に関する。
【背景技術】
【０００２】
従来技術として、下記特許文献１に開示された貯湯式給湯装置がある。この貯湯式給湯装置は、内部に湯を貯えるための貯湯タンクと、この貯湯タンク内の下部の水を上部に送る循環回路に設けられた循環手段であるポンプと、循環回路を流れる水を加熱して湯とするための加熱手段と、加熱手段により加熱された湯が目標温度となるようにポンプの能力を変更する制御手段とを備えている。
【特許文献１】特許３２３７４１１号公報
【発明の開示】
【発明が解決しようとする課題】
【０００３】
しかしながら、上記従来技術の貯湯式給湯装置では、循環回路内へのスケール付着等により循環回路の圧力損失が増大すると、循環水量の低下により、加熱手段により沸き上げられた湯の温度が目標温度より高温となる不具合を発生する場合がある。このように沸き上げ温度が異常値を示した場合には、一般的に貯湯のための運転を中止するようになっており、貯湯不足によりユーザが不便を感じる場合があるという問題がある。
【０００４】
本発明は、上記点を鑑みてなされたものであって、循環回路の圧力損失増大に伴なう貯湯運転中止を回避することが可能な貯湯式給湯装置を提供することを目的とする。
【課題を解決するための手段】
【０００５】
上記目的を達成するため、請求項１に記載の発明では、
内部に湯を貯えるための貯湯タンク（１）と、
貯湯タンク（１）内の下部の水を、貯湯タンク（１）内の上部に送るための循環回路（２０）と、
循環回路（２０）に設けられ、循環回路（２０）を流通する水を加熱して前記湯とする加熱手段（２）とを備える貯湯式給湯装置において、
循環回路（２０）の圧力損失増大の兆候を報知するための報知手段（２１０）と、
前記兆候を検出したときには、報知手段（２１０）を作動制御する制御手段（１００）とを備えることを特徴としている。
【０００６】
これによると、循環回路（２０）の圧力損失増大の兆候を検出したときには、制御手段（１００）は、報知手段（２１０）を作動制御して、圧力損失増大の兆候を報知することができる。したがって、加熱手段（２）により沸き上げられた湯の温度が目標温度より高温となって貯湯運転が中止される不具合を発生する前に、ユーザ等にメンテナンスを促すことができる。このようにして、循環回路（２０）の圧力損失増大に伴なう貯湯運転の中止を回避することができる。
【０００７】
また、請求項２に記載の発明では、
循環回路（２０）に設けられ、循環回路（２０）に循環する水の流量を調節する流量調節手段（５０）と、
加熱手段（２）により加熱された湯の温度を検出する湯温検出手段（５１）とを備え、
制御手段（１００）は、
湯温検出手段（５１）が検出する湯温が加熱手段（２）による加熱目標値と一致するように、流量調節手段（５０）を調節制御するとともに、
前記調節制御に基づく流量調節手段（５０）の実調節状態と、加熱手段（２）に加熱される前の水の温度もしくはその関連値に応じて定まる流量調節手段（５０）の理想調節状態との乖離度合に応じて、圧力損失増大の兆候を検出することを特徴としている。
【０００８】
このように、流量調節手段（５０）の実調節状態と理想調節状態との乖離度合から、循環回路（２０）の圧力損失増大の兆候を容易に検出することができる。
【０００９】
また、請求項３に記載の発明では、制御手段（１００）は、循環回路（２０）の設置状態および加熱手段（２）の加熱能力の少なくともいずれかに応じて、流量調節手段（５０）の理想調節状態を補正することを特徴としている。
【００１０】
これによると、流量調節手段（５０）の理想調節状態を、循環回路（２０）の設置状態や加熱手段（２）の加熱能力のばらつきを考慮したものとし、循環回路（２０）の圧力損失増大の兆候を精度良く検出することができる。
【００１１】
また、請求項４に記載の発明では、
循環回路（２０）に設けられ、循環回路（２０）に循環する水の流量を調節する流量調節手段（５０）と、
加熱手段（２）により加熱された湯の温度を検出する湯温検出手段（５１）とを備え、
制御手段（１００）は、
湯温検出手段（５１）が検出する湯温が加熱手段（２）による加熱目標値と一致するように、流量調節手段（５０）を調節制御するとともに、
前記調節制御に基づく流量調節手段（５０）の調節状態が所定状態となったときに、前記調節状態に基づいて圧力損失増大の兆候を検出することを特徴としている。
【００１２】
これによると、流量調節手段（５０）の調節状態が、流量調節手段（５０）の上限流量側の調節能力から定まる所定状態に達したか否かに基づいて、循環回路（２０）の圧力損失増大の兆候を容易に検出することができる。
【００１３】
また、請求項５に記載の発明のように、具体的には、流量調節手段（５０）を循環回路（２０）に水を循環する循環ポンプ（５０）とし、制御手段（１００）により循環ポンプ（５０）の回転数を調節制御することができる。
【００１４】
また、請求項６に記載の発明のように、具体的には、流量調節手段（６０）を循環回路（２０）に設けられた流量調節弁（６０）とし、制御手段（１００）により流量調節弁（６０）の弁開度を調節制御することができる。
【００１５】
また、請求項７に記載の発明では、制御手段（１００）は、運転開始後の経過時間が所定時間に到達したときに、前記経過時間に基づいて圧力損失増大の兆候を検出することを特徴としている。
【００１６】
これによると、前記所定時間を、圧力損失の増大により不具合が発生すると予想される時間より短い時間とすることにより、前記経過時間に基づく圧力損失が増大する前の状態を圧力損失増大の兆候状態とすることができる。
【００１７】
また、請求項８に記載の発明では、報知手段（２１０）は、前記兆候を表示する表示手段（２１０）であることを特徴としている。
【００１８】
これによると、循環回路（２０）の圧力損失増大の兆候を、表示によりユーザ等に確実に認知させ、メンテナンスを促すことができる。
【００１９】
また、請求項９に記載の発明では、制御手段（１００）は、前記兆候を検出したときには、循環回路（２０）内の洗浄が必要である旨の表示を行なうように表示手段（２１０）を表示制御することを特徴としている。
【００２０】
これによると、表示内容により、循環回路（２０）内の洗浄というメンテナンス内容を、ユーザ等に確実に認知させることができる。
【００２１】
また、請求項１０に記載の発明では、加熱手段（２）は、二酸化炭素を冷媒とするヒートポンプ装置（２）であることを特徴としている。
【００２２】
二酸化炭素を冷媒とするヒートポンプ装置（２）を加熱手段（２）とすると、容易に高温の湯を得ることが可能である。したがって、本発明によれば、高温の湯を貯湯可能な給湯装置において、循環回路（２０）の圧力損失増大に伴なう貯湯運転の中止を回避することができる。
【００２３】
なお、上記各手段に付した括弧内の符号は、後述する実施形態記載の具体的手段との対応関係の一例を示す。
【発明を実施するための最良の形態】
【００２４】
以下、本発明の実施の形態を図に基づいて説明する。
【００２５】
（第１の実施形態）
図１は本実施形態の貯湯式給湯装置の概略構成を示す模式図である。
【００２６】
１は耐食性に優れた金属製（例えばステンレス製）の貯湯タンクであり、外周部に図示しない断熱材が配置されており、給湯用の高温の湯を長時間に渡って保温することができるようになっている。貯湯タンク１は縦長形状であり、その底面には導入口１１が設けられ、この導入口１１には貯湯タンク１内に水道水を導入する給水経路である導入管１２が接続されている。
【００２７】
一方、貯湯タンク１の最上部には導出口１３が設けられ、導出口１３には貯湯タンク１内の高温の湯を導出するための給湯経路である導出管１４が接続されている。導出管１４には、図示しない水道水の給水配管との合流点に、図示しない混合弁が配置され、混合弁は開口面積比（導出管１４に連通する湯側の開度と給水配管に連通する水側の開度の比率）を調節することにより、下流側にあるカラン、シャワー、風呂等に高温の湯と水とを適宜混合して給湯するようになっている。
【００２８】
貯湯タンク１の下部には、貯湯タンク１内の水を吸入するための吸入口１８が設けられ、貯湯タンク１の上部には、貯湯タンク１内に湯を吐出する吐出口１９が設けられている。吸入口１８と吐出口１９とは循環回路２０で接続されており、循環回路２０の一部は後述するヒートポンプ装置２の給湯用熱交換器２２内に配置されている。
【００２９】
循環回路２０の給湯用熱交換器２２より上流側には、循環回路２０に貯湯タンク２内の下部の水を上部に向かって流通する（循環する）ための循環手段である循環ポンプ５０が配設されている。循環ポンプ５０は、その作動回転数に応じて循環回路２０内に循環する水の流量を調節する本実施形態における流量調節手段である。
【００３０】
そして、循環回路２０の循環ポンプ５０より上流側には、循環回路２０の上流側部を介して貯湯タンク１内の下部から給湯用熱交換器２２に流入する水の温度を検出する温度センサ５２が配設されている。温度センサ５２は、給湯用熱交換器２２に供給される水（給湯用熱交換器２２に加熱される前の水）の温度情報を後述する制御装置１００に出力するようになっている。なお、温度センサ５２は、循環回路２０の循環ポンプ５０と給湯用熱交換器２２との間に配設されるものであってもよい。
【００３１】
一方、循環回路２０の給湯用熱交換器２２より下流側には、循環回路２０を流れる湯（給湯用熱交換器２２により加熱された湯）の温度を検出する湯温検出手段である温度センサ５１が配設されている。温度センサ５１は、貯湯タンク１内へ戻る湯の温度情報を後述する制御装置１００に出力するようになっている。
【００３２】
２はヒートポンプ装置であり、ヒートポンプ装置２は、圧縮機２１、給湯用熱交換器２２、膨張弁２３、室外熱交換器２４、アキュムレータ２５を順次配管接続して構成され、冷媒として二酸化炭素（ＣＯ２）を使用している。圧縮機２１は、内蔵する電動モータ（図示しない）によって駆動され、アキュムレータ２５より吸引した気相冷媒を臨界圧力以上まで圧縮して吐出する。
【００３３】
給湯用熱交換器２２は、圧縮機２１より吐出された高温冷媒（ホットガス）と循環ポンプ５０により貯湯タンク１内から供給された水とを熱交換するもので、冷媒が流れる冷媒通路（図示しない）と、水が流れる水通路（図示しない）とを有し、冷媒通路を流れる冷媒の流れ方向と水通路を流れる水の流れ方向とが対向するように構成されている。なお、給湯用熱交換器２２を流れる冷媒（ＣＯ２）は、圧縮機２１で臨界圧力以上に加圧されているので、給湯用熱交換器２２を流通する水に放熱して温度低下しても凝縮することはない。
【００３４】
膨張弁２３は、給湯用熱交換器２２から流出する冷媒を弁開度に応じて減圧する減圧装置で、後述する制御装置１００によって弁開度を電気的に制御される。
【００３５】
室外熱交換器２４は、膨張弁２３で減圧された冷媒をファン２４ａによって送風される外気との熱交換によって蒸発させる。アキュムレータ２５は、室外熱交換器２４より流出する冷媒を気液分離して、気相冷媒のみを圧縮機２１に吸引させるとともに、サイクル中の余剰冷媒を蓄えている。ヒートポンプ装置２は、本実施形態における加熱手段である。
【００３６】
２００は、制御条件設定機能、表示機能を有するリモコン装置であり、各種操作スイッチの信号を後述する制御装置１００に出力するとともに、制御装置１００からの制御信号により、表示手段である表示部２１０の表示やメンテナンスランプ２２０の点灯等を行なうようになっている。
【００３７】
制御手段である制御装置１００は、圧縮機２１（電動モータ）、膨張弁２３、ファン２４ａおよび循環ポンプ５０を通電制御している。制御装置１００は、外気温やリモコン装置２００からの信号等に応じて圧縮機２１等を制御し、室外熱交換器２４で外気から吸熱し、給湯用熱交換器２２で循環回路２０を流通する水を加熱するようになっている。
【００３８】
また、制御装置１００は、給湯用熱交換器２２により加熱され貯湯タンク１内に戻る湯の温度が目標温度となるように、温度センサ５１からの温度情報の基づいて制御信号を出力し、循環ポンプ５０を作動制御するとともに、温度センサ５１、５２からの温度情報および循環ポンプ５０からの作動状態情報等に基づいて、後述する手順に従ってリモコン装置２００の表示部２１０の表示制御やメンテナンスランプ２２０の点灯制御を行なうようになっている。
【００３９】
次に、上記構成に基づき、本実施形態の貯湯式給湯装置が貯湯タンク１内の湯を沸き上げる作動について説明する。
【００４０】
図２は、制御装置１００の沸き上げ運転制御の概略制御動作を示すフローチャートである。制御装置１００は、ヒートポンプ式給湯装置に電力供給されているときには、リモコン装置２００のスイッチ等からの信号や設定条件（例えば時刻条件）等に基づいて、図２に示す沸き上げ運転制御を実行する。
【００４１】
制御装置１００は、まず、通常運転制御を行なう（ステップＳ１００）。通常運転制御は、循環ポンプ５０を作動して循環回路２０内に水を流通させるとともに、ヒートポンプ装置２も作動して、給湯用熱交換器２２において循環回路２０内を流通する水を加熱する。このとき、温度センサ５１が検出した温度と貯湯目標温度とを比較し、これらが一致するように循環ポンプ５０に作動指示を行なう。
【００４２】
次に、循環ポンプ５０の作動回転数（流量の実調節状態である実回転数）を入力し（ステップＳ２００）、循環ポンプ５０の実回転数が理想回転数より所定回転数以上（本例では毎分１０００回転以上）高いか否か判断する（ステップＳ３００）。ここで判断の基準となる理想回転数は、制御装置１００内に記憶された図３に示す特性データマップに基づく循環ポンプ回転数である。
【００４３】
給湯装置の工場出荷時には、制御装置１００内には、特性データのベースマップが記憶されている。このベースマップは、循環回路２０内へのスケール付着がなく循環回路２０の圧力損失が小さい所定状態を想定し、下記数式１および数式２から算出される循環水流量と循環ポンプ回転数の関係から設定されている。
（数１）
Ｑｗ＝Ｖ×ΔＴ
（数２）
Ｖ＝Ｎ×α＋β
ここで、Ｑｗはヒートポンプ装置２の加熱能力、Ｖは水流量、ΔＴは給湯用熱交換器２２通過前後の水の温度差、Ｎは循環ポンプ５０の回転数、αは流量係数、βは補正項である。
【００４４】
すなわち、上記数式１および数式２より、図３に示すように、給水温度（給湯用熱交換器２２入口側水温）および目標沸き上げ温度（給湯用熱交換器２２出口側目標水温）から、循環ポンプ５０の理想回転数を算出できるマップが設定されている。
【００４５】
そして、給湯装置の施工完了後、初期沸き上げ運転を行なうときに、循環回路２０の設置状態（施工配管長さや曲設箇所数等）に応じた実際の初期圧力損失に対応するように特性線全体をスライド補正（図３に示す施工初期圧損補正）する。また、初期所定学習期間（例えば施工後１週間）の運転時には、ヒートポンプ装置２の固有性能（加熱能力のばらつき等を考慮した性能）の補正項となるβを加味し、特性線全体をスライド補正（図３に示すヒートポンプ固有性能補正）する。
【００４６】
制御装置１００は、上述のようにして補正した各給湯機固有の特性データマップを記憶し、この補正後特性データマップに基づき、温度センサ５２からの温度情報等に応じて、ステップＳ３００における判断の基準とする理想回転数を算出する。
【００４７】
なお、循環回路２０の設置状態に応じた初期圧損補正は、運転を行なうことにより学習するのではなく、施工配管長さや曲設個所数等もしくはこれらから算出される関連値を、施工担当者等が制御装置１００に入力して補正するものであってもよい。
【００４８】
ステップＳ３００において、循環ポンプ５０から入力した実回転数が理想回転数より毎分１０００回転を超えて高いと判断した場合には、循環回路２０の圧力損失が初期より増加しているということであるので、リモコン装置２００に制御出力し、メンテナンスランプ２２０を点灯するとともに、表示部２１０に循環回路２０の配管洗浄が必要である旨の表示を行ない（ステップＳ４００）、ユーザ等に報知することができる。すなわち、表示部２１０は、循環回路２０の圧力損失増大の兆候を報知する本実施形態における報知手段である。
【００４９】
そして、ステップＳ１００にリターンし、通常運転制御を継続する。ステップＳ３００において、循環ポンプ５０から入力した実回転数が、理想回転数に対し、高回転側に毎分１０００回転以内しか乖離していないと判断した場合には、メンテナンス表示を行なわず、ステップＳ１００にリターンし、通常運転制御を継続する。
【００５０】
図１では図示を省略しているが、循環回路２０の給湯用熱交換器２２より下流側部には、配管洗浄用のバルブが配設されており、ユーザ等がメンテナンス表示を認識し、このバルブを開状態としたときには、導入管１２を介して供給される高圧水が循環回路２０を流れてバルブから外部に排出され、配管内のスケール等を除去できるようになっている。
【００５１】
上述の構成および作動によれば、循環回路２０の圧力損失増大の兆候を検出したときには、制御手段１００は、表示部２１０を作動制御して、ヒートポンプ装置２により沸き上げられた湯の温度が目標温度より高温となって貯湯運転が中止される前に、圧力損失増大の兆候があり配管洗浄が必要である旨を報知することができる。したがって、温度異常により貯湯運転が中止される不具合を発生する前に、ユーザ等にメンテナンスを促すことができる。このようにして、循環回路２０の圧力損失増大に伴なう貯湯運転の中止を回避することができる。
【００５２】
制御装置１００は、循環ポンプ５０の実回転数と、給湯用熱交換器２２に流入する給水温度と目標沸き上げ温度とに応じて定まる循環ポンプ５０の理想回転数との乖離度合に応じて、圧力損失増大の兆候を検出することができる。したがって、循環回路２０の圧力損失増大の兆候の検出が容易である。
【００５３】
また、循環ポンプ５０の理想回転数は、循環回路２０の設置状態およびヒートポンプ装置２の加熱能力のばらつきを考慮して補正しているので、循環回路２０の圧力損失増大の兆候を精度良く検出することができる。
【００５４】
さらに、圧力損失増大の兆候は、表示部２１０およびメンテナンスランプ２２０により報知されるので、ユーザ等が視覚により確実に認知し易い。またこのとき、表示部２１０には、循環回路２０内の洗浄が必要である旨の表示を行なうので、ユーザ等がメンテナンス内容を理解し易い。
【００５５】
また、本実施形態の給湯装置は、二酸化炭素を冷媒とするヒートポンプ装置２により循環回路２０を流通する水を加熱して高温の湯（例えば約９０℃の湯）とすることができる。したがって、貯湯タンク１内に高温の湯を貯湯することが可能である。
【００５６】
（第２の実施形態）
次に、第２の実施形態について図４に基づいて説明する。本第２の実施形態は、前述の第１の実施形態と比較して、圧力損失増大の兆候の検出判断が異なる。なお、第１の実施形態と同様の部分については、同一の符号をつけ、その説明を省略する。
【００５７】
ここで、図４は、本実施形態の制御装置１００の沸き上げ運転制御の概略制御動作を示すフローチャートである。
【００５８】
図４に示すように、制御装置１００は、ステップＳ２００で循環ポンプ５０の実回転数を入力したら、この入力した回転数が毎分４０００回転以上を３分継続したか否か判断する（ステップＳ３１０）。
【００５９】
本実施形態の循環ポンプ５０は、耐久性等から定まる連続運転可能な許容最大回転数は４３００ｒｐｍであり、４０００ｒｐｍが３分継続するということは、循環ポンプ５０は回転数上限近傍の所定回転数を継続しているということになる。したがって、循環ポンプ５０が４０００ｒｐｍ以上を３分継続した場合には、循環回路２０の圧力損失増大の兆候ありと判断して、ステップＳ４００を実行した後ステップＳ１００にリターンする。一方、循環ポンプ５０が４０００ｒｐｍ以上を３分継続していない場合には、ステップＳ４００を実行することなくステップＳ１００にリターンする。
【００６０】
上述の構成および作動によれば、第１の実施形態と同様に、循環回路２０の圧力損失増大の兆候を検出したときには、制御手段１００は、表示部２１０を作動制御して、ヒートポンプ装置２により沸き上げられた湯の温度が目標温度より高温となって貯湯運転が中止される前に、圧力損失増大の兆候があり配管洗浄が必要である旨を報知することができる。したがって、温度異常により貯湯運転が中止される不具合を発生する前に、ユーザ等にメンテナンスを促すことができる。このようにして、循環回路２０の圧力損失増大に伴なう貯湯運転の中止を回避することができる。
【００６１】
また、制御装置１００は、循環ポンプ５０の実回転数が、循環ポンプ５０の上限流量側の能力から定まる所定回転数に達したか否かの判断に基づいて、循環回路２０の圧力損失増大の兆候を容易に検出することができる。
【００６２】
また、制御装置１００は、第１の実施形態のように特性データマップを記憶したり、補正したりする必要がないので、ＲＯＭ容量の低減化が可能であり、制御装置１００のコスト低減も可能である。
【００６３】
（第３の実施形態）
次に、第３の実施形態について図５に基づいて説明する。本第３の実施形態は、前述の第１の実施形態と比較して、圧力損失増大の兆候の検出判断が異なる。なお、第１の実施形態と同様の部分については、同一の符号をつけ、その説明を省略する。
【００６４】
ここで、図５は、本実施形態の制御装置１００の要メンテナンス表示の概略制御動作を示すフローチャートである。
【００６５】
図５に示すように、制御装置１００は、給湯装置が施工され電力供給が開始されると、まず、例えば時刻設定操作が行なわれ、使用が開始されたか否か判断する（ステップＳ５００）。
【００６６】
使用が開始されていないと判断した場合には、使用が開始されるまでリターンして監視を継続する。使用が開始されたと判断した場合には、６箇月が経過したか否か判断する（ステップＳ６００）。
【００６７】
６箇月経過したら、ステップＳ４００を実行し、メンテナンスが行なわれたことを確認したらタイマーをリセットしてステップＳ５００にリターンする。
【００６８】
なお、ステップＳ６００における判断基準の６箇月は、本実施形態の給湯装置において、導入水の水質等も考慮し、スケール付着、圧力損失増大による温度異常の不具合が発生すると予想される最短時間より、若干短い所定時間としている。
【００６９】
上述の構成および作動によれば、制御手段１００は、圧力損失増大により不具合が発生すると予想される時間より若干短い時間を経過したときに、圧力損失が増大する兆候があるとして、配管洗浄が必要である旨を報知することができる。したがって、温度異常により貯湯運転が中止される不具合を発生する前に、ユーザ等にメンテナンスを促すことができる。このようにして、循環回路２０の圧力損失増大に伴なう貯湯運転の中止を回避することができる。
【００７０】
また、本実施形態によれば、要メンテナンス表示の制御が非常にシンプルとなり、ＲＯＭ容量の一層の低減化が可能であるとともに、制御信頼性を向上することもできる。
【００７１】
なお、本実施形態では、使用開始もしくは再使用開始からの経過時間で圧力損失増大の兆候を判断したが、循環回路２０に水を循環する沸き上げ運転の累積時間で圧力損失増大の兆候を判断するものであってもよい。この方が、兆候検出精度が向上可能である。
【００７２】
（他の実施形態）
上記第１の実施形態では、循環ポンプ５０を、その作動回転数に応じて循環回路２０内に循環する水の流量を調節する流量調節手段としていたが、図６に例示するように、循環回路２０に流量調節弁６０を流量調節手段として設け、その弁開度により循環回路２０内に循環する水の流量を調節するものであってもよい。なお、このときには、循環ポンプ５０は所定回転数で運転すればよい。
【００７３】
また、上記第１の実施形態では、循環ポンプ５０の理想回転数を算出するための特性データマップは、給湯用熱交換器２２への給水温度（入口側水温）に応じた特性データを有していたが、給水温度の関連値に応じた特性データを有するものであってもよい。例えば、外気温度、ヒートポンプサイクル中の低圧側冷媒温度に応じた特性データを有するマップであってもよい。
【００７４】
また、上記各実施形態では、要メンテナンスを報知する手段として、表示部２１０、メンテナンスランプ２２０を設けていたが、音により報知する警音手段を報知手段としてもよい。また、これらを組み合わせるものであってもよい。
【００７５】
また、上記各実施形態では、ヒートポンプ装置２の冷媒は二酸化炭素であったが、これに限定されるものではない。所謂フロン等の他の冷媒であってもよい。
【００７６】
また、上記各実施形態では、循環回路２０を流通する水の加熱手段は、ヒートポンプ装置２であったが、例えば電熱装置等の他の加熱手段であってもよい。
【図面の簡単な説明】
【００７７】
【図１】本発明の第１の実施形態における貯湯式給湯装置の概略構成を示す模式図である。
【図２】第１の実施形態における制御装置１００の沸き上げ運転制御の概略制御動作を示すフローチャートである。
【図３】第１の実施形態における循環ポンプ５０の理想回転数を算出するための特性データマップである。
【図４】第２の実施形態における制御装置１００の沸き上げ運転制御の概略制御動作を示すフローチャートである。
【図５】第３の実施形態における制御装置１００の要メンテナンス表示の概略制御動作を示すフローチャートである。
【図６】他の実施形態における貯湯式給湯装置の要部概略構成を示す模式図である。
【符号の説明】
【００７８】
１  貯湯タンク
２  ヒートポンプ装置（加熱手段）
２０  循環回路
２２  給湯用熱交換器
５０  循環ポンプ（流量調節手段）
５１  温度センサ（湯温検出手段）
５２  温度センサ
６０  流量調節弁（流量調節手段）
１００  制御装置（制御手段）
２００  リモコン装置
２１０  表示部（表示手段、報知手段）
【図１】
2005055124.tif 000003
【図２】
2005055124.tif 000004
【図３】
2005055124.tif 000005
【図４】
2005055124.tif 000006
【図５】
2005055124.tif 000007
【図６】
2005055124.tif 000008